(57)【要約】【課題】パチンコ台等の遊戯台を下部側において桟枠形の島に取付けるための遊戯台取付具について、遊戯台の台枠の下板に凹凸部が設けられている場合でも、押圧部の押圧力を台枠の下板に確実に作用させるようにする。【解決手段】遊戯台の台枠Ｂの下板Ｂｂを島Ｆの下枠Ｆｂに押圧する押圧部３４を備えている。押圧部３４は、台枠Ｂの下板Ｂｂへの押圧面に部分的に台枠Ｂの下板Ｂｂに当接される複数個の脚３４ａが設けられている。【選択図】        図１
2010240266.tif 000002
【特許請求の範囲】
【請求項１】
遊戯台の台枠の下板を島の下枠に押圧する押圧部を備えた遊戯台取付具において、押圧部は台枠の下板への押圧面に部分的に台枠の下板に当接される複数個の脚が設けられていることを特徴とする遊戯台取付具。
【請求項２】
請求項１の遊戯台取付具において、押圧部は脚が放射状に配置され脚の配置の中心で押圧部の上部に連結される部材に回動可能に支持されていることを特徴とする遊戯台取付具。
【請求項３】
請求項１または２の遊戯台取付具において、押圧部の脚は台枠の下板への当接面に凹凸溝が設けられていることを特徴とする遊戯台取付具。
【請求項４】
請求項１〜３のいずれかの遊戯台取付具において、押圧部の脚は外側へ向けて拡開されていることを特徴とする遊戯台取付具。
【発明の詳細な説明】
【技術分野】
【０００１】
本発明は、パチンコ台等の遊戯台を下部側において桟枠形の島（設置用基枠）に取付けるための遊戯台取付具に係る技術分野に属する。
【背景技術】
【０００２】
一般に、遊戯台の島への取付けは、遊戯台の背部側にある台枠を遊戯台取付具を使用して島に固定することより行われている。遊戯台取付具は、台枠の上部側，下部側で左右２個ずつの合計４個が使用されている。下部側で使用される遊戯台取付具は、台枠の下板を島の下枠に押圧する構造となっている。
【０００３】
最近、遊戯台の製造業者の差別化競争が台枠にまで及んできて、台枠の材質，形状がかなり多様化してきている。このため、特に下部側で使用される遊戯台取付具について、多様化した台枠に対して汎用性を備えることが要望されている。
【０００４】
従来、多様化した台枠に対して汎用性を備えることを指向した遊戯台取付具としては、例えば、特許文献１に記載のものが知られている。
【０００５】
特許文献１には、台枠の下板の押圧端末である押圧部の押圧面の全面に凹凸溝を設けた遊戯台取付具が記載されている。
【０００６】
特許文献１に係る遊戯台取付具は、木材等のように突刺して押圧することが困難な合成樹脂材，金属材からなる台枠でも押圧部の押圧面に設けられた凹凸溝でスリップすることなく確実に押圧することができるようにすることで、材質面で多様化した台枠に対して汎用性を備えようとするものである。
【先行技術文献】
【特許文献】
【０００７】
【特許文献１】実用新案登録第３１３７６６９号公報
【発明の概要】
【発明が解決しようとする課題】
【０００８】
特許文献１に係る遊戯台取付具では、台枠に補強リブのような凹凸部が設けられている場合に、押圧部の押圧面の凹凸溝と台枠の凹凸部との凸部分同士が突当てられてしまい、押圧部の押圧力が台枠の下板に確実に作用しないという問題点がある。
【０００９】
本発明は、このような問題点を考慮してなされたもので、遊戯台の台枠の下板に凹凸部が設けられている場合でも、押圧部の押圧力を台枠の下板に確実に作用させることのできる遊戯台取付具を提供することを課題とする。
【課題を解決するための手段】
【００１０】
前述の課題を解決するため、本発明では、遊戯台の台枠の下板を島の下枠に押圧する押圧部を備えたものであって、押圧部は台枠の下板への押圧面に部分的に台枠の下板に当接される複数個の脚が設けられている。
【００１１】
この手段では、押圧部の押圧面に部分的に脚が設けられることで、遊戯台の台枠の下板の凹凸部の凸部分を脚の間の空間に回避させ、脚で支障なく遊戯台の台枠の下板を押圧することができる。
【００１２】
また、本発明では、押圧部は脚が放射状に配置され脚の配置の中心で押圧部の上部に連結される部材に回動可能に支持されている。
【００１３】
この手段では、押圧部が回動可能に支持されることで、遊戯台の台枠の下板の凹凸部の凸部分を回避する脚の間の空間の位置に可変性が備えられる。
【００１４】
また、本発明では、押圧部の脚は台枠の下板への当接面に凹凸溝が設けられている。
【００１５】
この手段では、押圧部の脚の当接面に凹凸溝が設けられることで、台枠の下板との間でのスリップが防止される。
【００１６】
また、本発明では、押圧部の脚は外側へ向けて拡開されている。
【００１７】
この手段では、押圧部の脚が外側へ向けて拡開されることで、押圧部の断面外形が構造的に安定的な台形状となる。
【発明の効果】
【００１８】
本発明に係る遊戯台取付具は、押圧部の押圧面に部分的に脚が設けられることで、遊戯台の台枠の下板の凹凸部の凸部分を脚の間の空間に回避させ、脚で支障なく遊戯台の台枠の下板を押圧することができるため、遊戯台の台枠の下板に凹凸部が設けられている場合でも、押圧部の押圧力を台枠の下板に確実に作用させることができる効果がある。
【図面の簡単な説明】
【００１９】
【図１】本発明に係る遊戯台取付具を実施するための形態の第１例の取付状態図である。
【図２】図１の斜視図である。
【図３】図１の要部の拡大された斜視図である。
【図４】図３の縦断面図である。
【図５】図１の他の要部の拡大された一部分解の斜視図である。
【図６】図５の一部部材の取付例の平面図であり、（Ａ），（Ｂ）に異なる取付例が示されている。
【図７】図５の一部切断の側面図である。
【図８】図５の一部切断の底面図である。
【図９】本発明に係る遊戯台取付具を実施するための形態の第２例の要部の斜視図である。
【図１０】本発明に係る遊戯台取付具を実施するための形態の第３例の要部の斜視図であり、（Ａ），（Ｂ）に部分的に異なる例が示されている。
【図１１】本発明に係る遊戯台取付具を実施するための形態の第４例の要部の斜視図であり、（Ａ），（Ｂ）に部分的に異なる例が示されている。
【図１２】本発明に係る遊戯台取付具を実施するための形態の第５例の要部の斜視図であり、（Ａ），（Ｂ）に部分的に異なる例が示されている。
【図１３】本発明に係る遊戯台取付具を実施するための形態の第６例の要部の断面図である。
【図１４】本発明に係る遊戯台取付具を実施するための形態の第７例の要部の断面図である。
【発明を実施するための形態】
【００２０】
以下、本発明に係る遊戯台取付具を実施するための形態を図面に基づいて説明する。
【００２１】
図１〜図８は、本発明に係る遊戯台取付具を実施するための形態の第１例を示すものである。
【００２２】
第１例では、パチンコ台からなる遊戯台を並列して島Ｆに取付けるのに好適なものを示してある。
【００２３】
即ち、島Ｆは、横桟木形の上枠Ｆａ，下枠Ｆｂの間に縦桟木形の縦枠Ｆｃが掛渡され、遊戯台の台枠Ｂが嵌合収容される複数の方形の取付ベースが隣接されている。なお、台枠Ｂは、上板Ｂａ，下板Ｂｂ，側板Ｂｃからなる。
【００２４】
第１例は、左右勝手が同一の下部取付具Ｘとして構成されている。
【００２５】
下部取付具Ｘは、図３，図４に詳細に示されるように、下部取付ベース１，調整機構２，押圧機構３からなる。
【００２６】
下部取付ベース１は、島Ｆの下枠Ｆｂに固定されて調整機構２，押圧機構３を支持するもので、調整機構支持片１１，立上片１２，押圧機構支持片１３が９０度ずつの角度を介して屈曲された連続Ｌ字形に形成されている。調整機構支持片１１は、下面が島Ｆの下枠Ｆｂに当接されてネジＳで固定され、上面が調整機構２を支持する面となるもので、ネジＳが挿通されるネジ孔１４が上面，下面を貫通して設けられ、立上片１２とのコーナ部分に調整機構２の動作方向を規制するガイドを兼用したスリット形の窓１５が開口されている。立上片１２は、調整機構支持片１１から押圧機構支持片１３を台枠Ｂの下板Ｂｂの厚さを超えて立上げる長さを有したもので、調整機構支持片１１とのコーナ部分に立上げを補強するビード１６が設けられている。押圧機構支持片１３は、立上片１２から台枠Ｂの下板Ｂｂと間隔を介して平行に延びるもので、先端部付近に押圧機構３が螺合される雌ネジ部１７が設けられている。
【００２７】
調整機構２は、島Ｆにおける台枠Ｂの取付位置，取付角度を下部側で調整するもので、台枠Ｂの下板Ｂｂに対してスライドされるスライド体２１と、スライド体２１のスライド位置を固定するロック部２２とからなる。スライド体２１は、下部取付ベース１の調整機構支持片１１の上面に当接されて窓１５に挿通されたスライド板２１ａと、スライド板２１ａにスライド方向へ延びて穿孔された長孔２１ｂと、スライド板２１の先端に屈曲形成されて下部取付ベース１の押圧機構支持片１３の下方に位置され台枠Ｂの下板Ｂｂの端面を押圧する押圧板２１ｃとからなる。ロック部２２は、下部取付ベース１の調整機構支持片１１に固定されて調整機構支持片１１の上面からスライド体２１の長孔２１ｂを貫通して突出されたロックネジ２２ａと、ロックネジ２２ａに螺合されスライド体２１のスライド板２１ａを下部取付ベース１の調整機構支持片１１の上面に締付ける蝶ナット形のロックナット２２ｂとからなる。
【００２８】
押圧機構３は、島Ｆの下枠Ｆｂの上面に台枠Ｂの下板Ｂｂを押圧するもので、下部取付ベース１の雌ネジ部１７に螺合されるネジ棒３１と、ネジ棒３１の上端部に設けられたハンドル３２と、ネジ棒３１の下端部に設けられた軸部３３と、軸部３３に回動可能に支持された押圧部３４とからなる。ネジ棒３１は、強い回転力を得るために大径とされている。ハンドル３２は、ネジ棒３１を回転操作しやすい星形板に形成されている。軸部３３は、下端部をカシメたりナットを螺合させる等によって押圧部３４を抜止め支持している。押圧部３４は、断面外形が台形状になるように、台枠Ｂの下板Ｂｂへの押圧面が部分的に台枠Ｂの下板Ｂｂに当接される４個の脚３４ａが軸部３３に抜止め遊嵌合された丸皿形の基盤３４ｂから外側に拡開するように軸部３３の軸線を中心として放射状に設けられている。従って、押圧部３４は、脚３４ａの間と基盤３４ｂの下方とに空間３４ｃが形成されている。また、押圧部３４の脚３４ａの台枠Ｂの下板Ｂｂへの押圧面には、稜線，谷線が径方向に配置された山谷形の凹凸溝３４ｄが設けられている。
【００２９】
第１例によると、台枠Ｂの下板Ｂｂを島Ｆの下枠Ｆｂに押圧して取付ける際に、押圧機構３の押圧端末となる押圧部３４が全面で台枠Ｂの下板Ｂｂの上面を押圧するのではなく、脚３４ａ（凹凸溝３４ｄ）で部分的に台枠Ｂの下板Ｂｂの上面を押圧することになる。従って、押圧機構３の押圧部３４の空間３４ｃに台枠Ｂの下板Ｂｂに設けられている補強リブのような凹凸部Ｂｄの凸部分を回避させることで、押圧部３４の押圧力を台枠Ｂの下板Ｂｂに確実に作用させることができる。特に、押圧機構３の押圧部３４の空間３４ｃが四方に確保されることで、台枠Ｂの下板Ｂｂに設けられている凹凸部Ｂｄが格子状の場合にも対応することができる。なお、押圧機構３の押圧部３４が軸部３３で回動可能であるため、空間３４ｃを台枠Ｂの下板Ｂｂに設けられている凹凸部Ｂｄの凸部分を確実に回避できる位置に自由に変更することができる。
【００３０】
また、押圧機構３の押圧部３４が構造的に安定的な台形状の断面外形となっているため、ネジ棒３１の押圧力で押圧部３４が変形して台枠Ｂの下板Ｂｂの押圧が不充分になるようなことはない。また、押圧機構３の押圧部３４の凹凸溝３４ｄは、脚３４ａの台枠Ｂの下板Ｂｂに対する摩擦力を高める。従って、押圧機構３のネジ棒３１の回転に押圧部３４が追従して回転することがなく、移動した脚３４ａで台枠Ｂの下板Ｂｂに設けられている凹凸部Ｂｄを損傷することがない。なお、押圧機構３の押圧部３４の凹凸溝３４ｄは、稜線，谷線が径方向に配置された山谷形であるため、ネジ棒３１の回転方向に対して大きな摩擦力を発揮する。
【００３１】
さらに、第１例では、前述の下部取付具Ｘと組をなして遊戯台を上部側において島Ｆに取付けるための左右勝手が対称の上部取付具Ｙが構成されている。
【００３２】
上部取付具Ｙは、図５，図７，図８に詳細に示されるように、上部取付ベース４，調整機構５，押圧機構６，押圧補助機構７からなる。
【００３３】
上部取付ベース４は、島Ｆの上枠Ｆａに固定されて調整機構５，押圧機構６，押圧補助機構７を支持するもので、調整機構支持片４１，押圧機構支持ケース４２，押圧補助機構支持片４３によりＬ字形，コ字形の組合わせの複合構造に形成されている。調整機構支持片４１は、島Ｆの上枠Ｆａの背部側に上枠Ｆａの下面と平行になるように配置され、下面が調整機構５を支持する面となるもので、下面に調整機構５の動作方向を規制する、調整機構５を挟んで対となるビード形のガイド４４が設けられている。なお、ガイド４４は一対でもそれ以上の複数対でもよく、レール状となっていてもよい。押圧機構支持ケース４２は、島Ｆの上枠Ｆａに堀込まれた取付溝Ｆｃに埋込まれて押圧機構６の大部分を収容するコ字形のケース部４２ａから取付溝Ｆｃから露出する裾片４２ｂがＬ字形に屈曲され、裾片４２ｂの上面が島Ｆの上枠Ｆａの下面に当接されて裾片４２ｂに穿孔されたネジ孔４２ｃに挿通されたネジＳで固定される。押圧補助機構支持片４３は、表面が島Ｆの上枠Ｆａの端面に当接されてネジＳで固定され、裏面が押圧補助機構７を支持する面となるもので、左右の一方側の調整機構支持片４１がＬ字形に屈曲されている側にネジＳが挿通されるネジ孔４５が表面，裏面を貫通して設けられ、中央に押圧機構６が螺合される雌ネジ部４６が設けられ、左右の他方側に押圧補助機構７が挿通されるとともに押圧補助機構７の動作方向を規制するガイドを兼用した挿通筒４７が設けられている。なお、押圧補助機構支持片４３の表面には、押圧機構支持ケース４２が溶接で固着されている。押圧機構支持ケース１２の固着はカシメ等の方法であってもよい。
【００３４】
調整機構５は、島Ｆにおける台枠Ｂの取付位置，取付角度を上部側で調整するもので、台枠Ｂの上板Ｂａに対してスライドされるスライド体５１と、スライド体５１のスライド位置を固定するロック部５２と、スライド体５１に着脱可能なアタッチメント５３とからなる。スライド体５１は、上部取付ベース４の調整機構支持片４１の下面に当接されるスライド板５１ａと、スライド板５１ａにスライド方向へ延びて穿孔された長孔５１ｂと、スライド板５１ａの先端に屈曲形成されて上部取付ベース４の押圧機構支持ケース４２の斜め下方に位置され台枠Ｂの上板Ｂａの端面を押圧する押圧板５１ｃと、押圧板５１ｃに穿孔されアタッチメント５３を着脱可能にするアタッチメント取付用孔５１ｄとからなる。スライド体５１のアタッチメント取付用孔５１ｄは、アタッチメント５３の着脱のための着脱用孔である径の大きな丸孔５１ｄａと、丸孔５１ｄａからＶ字形の開放側を下方に向けて左右方向へ延びる丸孔５１ｄａの径よりの幅の狭いアタッチメント５３の支持のための支持用溝である２つの長孔５１ｄｂとからなる。ロック部５２は、上部取付ベース４の調整機構支持片４１に固定されて調整機構支持片４１の下面からスライド体５１の長孔５１ｂを貫通して突出されたロックネジ５２ａと、ロックネジ５２ａに螺合されスライド体５１のスライド板５１ａを上部取付ベース４の調整機構支持片４１の下面に締付ける蝶ナット形のロックナット５２ｂとからなる。アタッチメント５３は、スライド体５１のスライド方向の長さを延長するもので、円柱体の本体部５３ａと、本体部５３に同軸に隣接されスライド体５１のアタッチメント取付用孔５１ｄの長孔５１ｄｂの幅と一致する径の円柱体のネック部５３ｂと、ネック部５３ｂに同軸に隣接されアタッチメント取付用孔５１ｄの長孔５１ｄｂの幅よりも大きな径で丸孔５１ｄａの径よりも小さな径の円板の抜止部５３ｃとからなる。
【００３５】
押圧機構６は、島Ｆの下枠Ｆｂの上面に台枠Ｂの上板Ｂａを介して下板Ｂｂを押圧するもので、上部取付ベース４の雌ネジ部４６に螺合されるネジ棒６１と、ネジ棒６１の後端部に設けられたハンドル６２と、上部取付ベース４の押圧機構支持ケース４２に台枠Ｂの上板Ｂａの上面に臨むように収容されネジ棒６１の先端部に突当てられたＬ字形の押圧部６３と、上部取付ベース４の押圧機構支持ケース４２に固定されてＬ字形の押圧部６３の角部に挿通され押圧部６３を回動可能に支持する支軸６４と、上部取付ベース４の押圧機構支持ケース４２と押圧部６３との間に弾圧装着されて押圧部６３を押圧機構支持ケース４２の内部に収容する方向へ弾圧付勢するコイルスプリング６５とからなる。ネジ棒６１は、強い回転力を得るために大径とされている。ハンドル６２は、ネジ棒６１を回転操作しやすいラジアル摘み形に形成されている。押圧部６３は、ネジ棒６１の回転により押されることで上部取付ベース４の押圧機構支持ケース４２から傾倒されて台枠Ｂの上板Ｂａの上面を押圧し、ネジ棒６１の逆方向の回転によりコイルスプリング６５に押されて上部取付ベース４の押圧機構支持ケース４２に収容されて台枠Ｂの上板Ｂａの上面への押圧を解除する。支軸６４は、軸線が上部取付ベース４の左右方向と平行になるように配設されている。
【００３６】
押圧補助機構７は、押圧機構６により押圧される台枠Ｂの上板Ｂａを支えて上板Ｂａの無用の変形を防止すると共に、上枠Ｆａに対しても無用の変形を防ぐためのもので、台枠Ｂの上板Ｂａに対してスライドされるスライド体７１と、スライド体７１のスライド位置を固定するロック部７２と、スライド体７１に着脱可能な押圧補助アタッチメント７３とからなる。スライド体７１は、上部取付ベース４の押圧補助機構支持片４３の裏面に当接され挿通筒４７に係合される断面コ字形のスライド枠７１ａと、スライド枠７１ａにスライド方向へ延びて穿孔された長孔７１ｂと、スライド枠７１の先端に屈曲形成されて上部取付ベース４の押圧機構支持ケース４２の斜め下方に位置され台枠Ｂの上板Ｂａの下面を押圧する押圧板７１ｃとからなる。ロック部７２は、上部取付ベース４の押圧補助機構支持片４３に固定されて押圧補助機構支持片４３の裏面からスライド体７１の長孔７１ｂを貫通して突出されたロックネジ７２ａと、ロックネジ７２ａに螺合されスライド体７１のスライド枠７１ａを上部取付ベース４の押圧補助機構支持片４３の裏面に締付ける蝶ナット形のロックナット７２ｂとからなる。押圧補助アタッチメント７３は、平板形の本体部７３ａの両端部にコ字形のレール部７３ｂが形成されてスライド体７１の押圧板７１ｃに抜差しが可能になっている。
【００３７】
第１例に上部取付具Ｙが備えられることによって、島Ｆにおける台枠Ｂの取付位置，取付角度を上部側で調整する際に、ネジ止めされた台枠Ｂの上板Ｂａの下面，端面を基準面として、調整機構５のスライド体５１の押圧板５１ｃが台枠Ｂの上板Ｂａに届く場合にはアタッチメント取付用孔５１ｄからアタッチメント５３を取外し、調整機構５のスライド体５１の押圧板５１ｃが台枠Ｂの上板Ｂａに届かない場合にはアタッチメント取付用孔５１ｄにアタッチメント５３を取付ける手段を選択することができる。
【００３８】
調整機構５のスライド体５１のアタッチメント取付用孔５１ｄにアタッチメント５３が取付けられると、実質的にスライド体５１の調整方向の長さであるスライド長（調整量）が延長されたことになる。従って、寸法面で多様化した台枠Ｂに対して汎用性を備えることができる。
【００３９】
なお、調整機構５のアタッチメント５３の取付けについては、抜止部５３ｃをアタッチメント取付用孔５１ｄの丸孔５１ｄａに挿通してから、ネック部５３ｂを取付用孔５１ｄの長孔５１ｄｂに係合させてスライドさせるだけでよい。取付けられたアタッチメント５３は、取付用孔５１ｄの長孔５１ｄｂがＶ字形の開放側を下方に向けている格好で丸孔５１ｄａよりも下方に位置しているため、丸孔５１ｄａ側に脱落することがない。また、調整機構５のアタッチメント５３の取外しについては、取付けの逆の操作を行うことになる。従って、操作が簡単で特別な技術者でなくとも実施することができる。なお、図６に示すように、台枠Ｂの上板Ｂａ，側板Ｂｃに段差や障害物がある場合に、台枠Ｂの上板Ｂａの左右側に位置しているアタッチメント取付用孔５１ｄの２つの長孔５１ｄｂから段差，障害物を避けることができる側を選択することができる。
【００４０】
また、押圧補助機構７のスライド体７１の押圧板７１ｃが台枠Ｂの上板Ｂａに届く場合には押圧板７１ｃから押圧補助アタッチメント７３を取外し、押圧補助機構７のスライド体７１の押圧板７１ｃが台枠Ｂの上板Ｂａに届かない場合には押圧板７１ｃに押圧補助アタッチメント７３を取付ける手段を選択することができる。
【００４１】
押圧補助機構７のスライド体７１の押圧板７１ｃに押圧補助アタッチメント７３が取付けられると、実質的にスライド体７１の台枠Ｂの上板Ｂａを支える面積が拡張されたことになる。従って、この点でも、寸法面で多様化した台枠Ｂに対して汎用性を備えることができる。なお、押圧補助機構７のスライド体７１の押圧板７１ｃが台枠Ｂの上板Ｂａに届く場合であっても、押圧補助アタッチメント７３を取付けて台枠Ｂの上板Ｂａの支えを安定化させることも可能である。
【００４２】
図９は、本発明に係る遊戯台取付具を実施するための形態の第２例を示すものである。
【００４３】
第２例では、第１例の下部取付具Ｘの押圧機構３の押圧部３４の脚３４ａから凹凸溝３４ｄが省略されている。
【００４４】
第２例によると、台枠Ｂの下板Ｂｂに対する押圧機構３の押圧部３４の脚３４ａの摩擦力が低下することになるが、充分に第１例と同様の機能を奏することができる。逆に、台枠Ｂの下板Ｂｂが傷付きやすい材質である場合には有効となる。
【００４５】
図１０は、本発明に係る遊戯台取付具を実施するための形態の第３例を示すものである。
【００４６】
第３例では、第１例の下部取付具Ｘの押圧機構３の押圧部３４の脚３４ａが２個設けられたものを示してある。第３例においても、脚３４ａに凹凸溝３４ｄが設けられたものと凹凸溝３４ｄが省略されたものとが考えられる。
【００４７】
第３例によると、第１例，第２例に比して、押圧部３４の脚３４ａの押圧面積を拡張することができ、台枠Ｂの下板Ｂｂへの押圧力を増加させることができる。なお、台枠Ｂの下板Ｂｂに設けられている凹凸部Ｂｄが格子状の場合には不向きであるが直線状である場合には有効である。
【００４８】
図１１は、本発明に係る遊戯台取付具を実施するための形態の第４例を示すものである。
【００４９】
第４例では、第１例の下部取付具Ｘの押圧機構３の押圧部３４の脚３４ａが３個設けられた（隣接する２個を連続させた）ものを示してある。第３例においても、脚３４ａに凹凸溝３４ｄが設けられたものと凹凸溝３４ｄが省略されたものとが考えられる。
【００５０】
第４例によると、第１例，第２例に比して、押圧部３４の脚３４ａの押圧面積を拡張することができ、台枠Ｂの下板Ｂｂへの押圧力を増加させることができる。なお、台枠Ｂの下板Ｂｂに設けられている凹凸部Ｂｄが格子状の場合には不向きであるが直線状，Ｔ字状である場合には有効である。
【００５１】
図１２は、本発明に係る遊戯台取付具を実施するための形態の第５例を示すものである。
【００５２】
第５例では、第１例の下部取付具Ｘの押圧機構３の押圧部３４の脚３４ａを２個としてコ字形に連続され基盤３４ｂが省略されている。
【００５３】
第５例によると、前述の各例よりも構造が簡素化されるため、安価，容易に製造することが可能になる。
【００５４】
図１３は、本発明に係る遊戯台取付具を実施するための形態の第６例を示すものである。
【００５５】
第６例では、上部取付具Ｙの調整機構５のスライド体５１のアタッチメント取付用孔５１ｄの２つの長孔５１ｄｂを丸孔５１ｄａからコ字形に配置してある。
【００５６】
第６例によると、長孔５１ｄｂがＬ字形であるため、取付けられたアタッチメント５３が丸孔５１ｄａ側に脱落することがほぼ完全に防止される。
【００５７】
図１４は、本発明に係る遊戯台取付具を実施するための形態の第７例を示すものである。
【００５８】
第７例では、上部取付具Ｙの調整機構５のスライド体５１のアタッチメント取付用孔５１ｄを１つずつ丸孔５１ｄａ，長孔５１ｄｂが連通されたものを間隔を介して２個設けられている。
【００５９】
第７例によると、取付用孔５１ｄの長孔５１ｄｂを短縮することができ、調整機構５のスライド体５１の強度の低下を防止することができる。
【産業上の利用可能性】
【００６０】
本発明に係る遊戯台取付具は、背部に台枠を有する各種の遊戯台の取付けに使用することが可能である。
【符号の説明】
【００６１】
１            下部取付ベース
２            調整機構
３            押圧機構
３４          押圧部
３４ａ        脚
３４ｃ        空間
３４ｄ        凹凸溝
Ｂ            台枠
Ｂａ          上板
Ｂｂ          下板
Ｆ            島
Ｆａ          上枠
Ｆｂ          下枠
【図１】
2010240266.tif 000003
【図２】
2010240266.tif 000004
【図３】
2010240266.tif 000005
【図４】
2010240266.tif 000006
【図５】
2010240266.tif 000007
【図６】
2010240266.tif 000008
【図７】
2010240266.tif 000009
【図８】
2010240266.tif 000010
【図９】
2010240266.tif 000011
【図１０】
2010240266.tif 000012
【図１１】
2010240266.tif 000013
【図１２】
2010240266.tif 000014
【図１３】
2010240266.tif 000015
【図１４】
2010240266.tif 000016